Podtech/llm-jp-corpus-v4-ja_patent huggingface dataset:
【手続補正書】
【提出日】平成20年10月14日(2008.10.14)
【手続補正１】
【補正対象書類名】明細書
【補正対象項目名】００１８
【補正方法】変更
【補正の内容】
【００１８】
完全フッ素化（過フッ素化）(perfluorinated)ビニルエーテルも本発明におけるコモノマーとして適する。こうしたパーフルオロビニルエーテルには、例えば、ＣＦ2＝ＣＦＯＣＦ3、ＣＦ2＝ＣＦＯＣＦ2ＣＦ2ＯＣＦ3、ＣＦ2＝ＣＦＯＣＦ2ＣＦ2ＣＦ2ＯＣＦ3、ＣＦ2＝ＣＦＯＣＦ2ＣＦ2ＣＦ3、ＣＦ2＝ＣＦＯＣＦ2ＣＦ（ＣＦ3）ＯＣＦ2ＣＦ2ＣＦ3およびＣＦ2＝ＣＦＯＣＦ2ＣＦ（ＣＦ3）ＯＣＦ2ＣＦ（ＣＦ3）ＯＣＦ2ＣＦ2ＣＦ3が挙げられる。
【誤訳訂正書】
【提出日】平成20年5月7日(2008.5.7)
【誤訳訂正１】
【訂正対象書類名】特許請求の範囲
【訂正対象項目名】全文
【訂正方法】変更
【訂正の内容】
【特許請求の範囲】
【請求項１】
金属粉の層を形成し、
その層の一つ又は二つ以上の領域の焼結を阻害し、
複数の層について前記層の形成と焼結阻害を繰返し、
複数の層を圧縮成形して圧粉体を製造し、
その圧粉体を焼結し、次いで
その圧粉体中の焼結阻害領域によって形成された境界で一つ又は二つ以上の焼結部分を取り出す、
ステップを含んでなる方法。
【請求項２】
前記取り出すステップが、三次元（３−Ｄ）の金属物体を圧粉体から取り出すステップを含む請求項１に記載の方法。
【請求項３】
前記圧縮成形ステップが、各層を圧縮成形した後、その層の上に別の層を形成するステップを含んでいる請求項１に記載の方法。
【請求項４】
さらに、層の一つ又は二つ以上の領域の焼結を阻害した後に各層を圧縮成形するステップを含む請求項３に記載の方法。
【請求項５】
さらに、各層を圧縮成形した後、その層の一つ又は二つ以上の領域の焼結を阻害するステップを含む請求項３に記載の方法
【請求項６】
前記圧縮成形ステップが、層をプレスの表面で押圧するステップを含み、そしてさらにそのプレスの表面を、引き続く各層形成の間にクリーニングするステップを含む請求項３に記載の方法。
【請求項７】
前記焼結を阻害するステップが、焼結阻害材料を層の一つ又は二つ以上の領域に堆積させるステップを含んでいる請求項１に記載の方法。
【請求項８】
前記堆積させるステップが、ノズルを通じて焼結阻害材料を押し出すステップを含んでいる請求項７に記載の方法。
【請求項９】
前記堆積させるステップが、焼結阻害材料をプリンターヘッドでプリントするステップを含んでいる請求項７に記載の方法。
【請求項１０】
焼結阻害材料が、乾燥されると焼結温度の高い結晶又は別の固体形態になる溶液で構成されている請求項７に記載の方法。
【請求項１１】
焼結阻害材料が金属塩で構成されている請求項７に記載の方法。
【請求項１２】
金属塩がリン酸カリウム（Ｋ３ＰＯ４）で構成されている請求項１１に記載の方法。
【請求項１３】
焼結阻害材料がセラミックスラリーで構成されている請求項７に記載の方法。
【請求項１４】
前記焼結阻害ステップが、一つ又は二つ以上の領域の金属粉粒子を酸化するステップを含んでいる請求項１に記載の方法。
【請求項１５】
前記酸化するステップが、前記金属粉粒子を酸素の存在下で加熱するステップを含んでいる請求項１４に記載の方法。
【請求項１６】
前記酸化するステップが、前記一つ又は二つ以上の領域上をレーザに走査させるステップを含んでいる請求項１５に記載の方法。
【請求項１７】
前記酸化するステップが、前記一つ又は二つ以上の領域上をミクロトーチに移動させるステップを含んでいる請求項１５に記載の方法。
【請求項１８】
金属粉が結合剤無しの粉体で構成されている請求項１に記載の方法。
【請求項１９】
前記圧縮成形ステップが、複数の層中の金属粉粒子をコールドウエルドすることを含んでいる請求項１に記載の方法。
【請求項２０】
さらに、前記複数の層に境界をつくってブロックを形成するステップを含んでいる請求項１に記載の方法。
【請求項２１】
前記境界をつくるステップが、各層の周囲に接着剤を堆積させるステップを含んでいる請求項２０に記載の方法。
【請求項２２】
金属粉の複数の層を広げる手段、
前記層を圧縮するプレス、
前記複数の層の一つ又は二つ以上の領域の焼結を阻害する手段、並びに
前記複数の層で形成された圧粉体の金属粉を焼結する炉、
を含んでなるシステム。
【請求項２３】
前記広げる手段がローラを含んでいる請求項２２に記載のシステム。
【請求項２４】
前記広げる手段がブレードを含んでいる請求項２２に記載のシステム。
【請求項２５】
前記焼結を阻害する手段が、焼結阻害材料を前記一つ又は二つ以上の領域上に堆積させる手段を含んでいる請求項２２に記載のシステム。
【請求項２６】
前記堆積させる手段が、焼結阻害材料を押し出すノズルを含んでいる請求項２５に記載のシステム。
【請求項２７】
前記堆積させる手段が、焼結阻害材料をプリントするプリンターヘッドを備えている請求項２５に記載のシステム。
【請求項２８】
焼結阻害材料が金属塩で構成されている請求項２５に記載のシステム。
【請求項２９】
金属塩がリン酸カリウム（Ｋ３ＰＯ４）で構成されている請求項２８に記載のシステム。
【請求項３０】
焼結阻害材料がセラミックスラリーで構成されている請求項２５に記載のシステム。
【請求項３１】
焼結を阻害する手段が、前記一つ又は二つ以上の領域の金属粉粒子を酸化するように作動する走査可能なレーザを備えている請求項２２に記載のシステム。
【請求項３２】
焼結を阻害する手段が、前記一つ又は二つ以上の領域の金属粉粒子を酸化するように作動する制御可能なミクロトーチを備えている請求項２２に記載のシステム。
【請求項３３】
金属粉が結合剤無しの金属粉で構成されている請求項２２に記載のシステム。
【請求項３４】
さらに、プレスの表面をクリーニングした後、次の層各々を圧縮成形する手段を備えている請求項２２に記載のシステム。
【請求項３５】
さらに、前記複数の層各々を加熱する加熱器を備えている請求項２２に記載のシステム。
【請求項３６】
前記加熱器が、選択的にオンオフするように作動するガストーチのアレーで構成されている請求項３５に記載のシステム。
【請求項３７】
前記加熱器が、電流又はシャッターによって選択的にオンオフするように作動する非常に高温の電気フィラメントのアレーを備えている請求項３５に記載のシステム。
【請求項３８】
金属粉の層を形成し、
その層の一つ又は二つ以上の領域の焼結を阻害し、
その層を圧縮成形し、
その層の金属粉を焼結し、
前記形成、焼結阻害、圧縮成形及び複数の層の焼結を繰返し、次いで
圧粉体の焼結阻害領域によって形成された境界で一つ又は二つ以上の焼結部分を取り出す、
ステップを含んでなる方法。
【請求項３９】
前記取り出すステップが、圧粉体から三次元（３−Ｄ）の金属物体を取り出すステップで構成されている請求項３８に記載の方法。
【請求項４０】
層の圧縮成形を実施した後に焼結阻害を行う請求項３８に記載の方法。
【手続補正書】
【提出日】平成19年11月26日(2007.11.26)
【手続補正１】
【補正対象書類名】明細書
【補正対象項目名】特許請求の範囲
【補正方法】変更
【補正の内容】
【特許請求の範囲】
【請求項１】  （ａ）担持基板と、
（ｂ）前記担持基板に接着された受容層とを具備し、
前記受容層は、転写可能な表層及び吸収層の少なくとも２枚の層を備えており、
（１）前記転写可能な表層は、５重量％〜１００重量％の親水性重合体、０重量％〜２０重量％の疎水性重合体、及び、０重量％〜８０重量％の粒状充填材を含有し、その転写可能な表層は、溶剤を吸収層まで通過可能に構成されており、
（２）前記吸収層は、５重量％〜１００重量％の親水性重合体、０重量％〜３０重量％の疎水性重合体、及び、０重量％〜６０重量％の粒状充填材を含有し、その吸収層は、前記転写可能な表層上の画像の印刷中に溶剤を吸収するように構成されると共に、該吸収層は、前記転写可能な表層と前記担持基板との間に位置する
ことを特徴とする転写膜。
【請求項２】  前記受容層は、吸収層、中間層及び転写可能な表層の少なくとも３枚の層を備え、
前記中間層は、前記吸収層と前記転写可能な表層との間に位置する
ことを特徴とする請求項１記載の転写膜。
【請求項３】  前記担持基板は、１０μｍ〜２５０μｍの厚さを有する
ことを特徴とする請求項１又は請求項２記載の転写膜。
【請求項４】  前記吸収層は、５μｍ〜５０μｍの厚さを有する
ことを特徴とする請求項１又は請求項２記載の転写膜。
【請求項５】  前記親水性重合体は、ポリ（ビニルアルコール）（ＰＶＡ）、ポリ（ビニルピロリドン）（ＰＶＰ）、ポリ（２−エチル−２−オキサゾリン）、改質デンプン、ヒドロキシアルキルセルロース、カルボキシアルキルセルロース、スチレンブタジエンゴム（ＳＢＲ）ラテックス、ニトリルゴム（ＮＢＲ）ラテックス、ビニルピロリドン／酢酸ビニル共重合体、酢酸ビニル／アクリル共重合体、アクリル酸重合体、アクリル酸共重合体、アクリルアミド重合体、アクリルアミド共重合体、スチレン共重合体、酸化アルキレン重合体及び酸化アルキレン共重合体、ゼラチン、改質ゼラチン、及び、多糖類よりなる群から選択される
ことを特徴とする請求項１又は請求項２記載の転写膜。
【請求項６】  前記疎水性重合体は、セルロース重合体、ビニル重合体、ポリ塩化ビニル、ポリ酢酸ビニル、塩化ビニル酢酸ビニル共重合体、エチレン酢酸ビニル共重合体、アクリル重合体、ポリウレタン、ポリエステル、ポリアミド、ポリオレフィン、ポリイミド、ポリカーボネートよりなる群から選択される
ことを特徴とする請求項１又は請求項２記載の転写膜。
【請求項７】  前記粒状充填材は、シリカ、シリカゲル、アルミナ、アルミナゲル、ベーマイト、擬ベーマイト、クレー、炭酸カルシウム、チョーク、炭酸マグネシウム、カオリン、か焼クレー、葉蝋石、ベントナイト、ゼオライト、滑石、合成珪酸アルミニウム、合成珪酸カルシウム、珪藻土、無水珪酸粉末、水酸化アルミニウム、重晶石、硫酸バリウム、セッコウ、硫酸カルシウム、及び、有機粒子よりなる群から選択される
ことを特徴とする請求項１又は請求項２記載の転写膜。
【請求項８】  前記転写可能な表層は、０．０１μｍ〜１２μｍの厚さを有する
ことを特徴とする請求項１又は請求項２記載の転写膜。
【請求項９】  前記中間層は、１重量％〜１００重量％の疎水性重合体、０重量％〜９５重量％の親水性重合体、及び、０重量％〜８０重量％の粒状充填材を含有する
ことを特徴とする請求項２記載の転写膜。
【請求項１０】  基板上に画像を形成する方法であって、
（Ａ）画像を転写膜上に形成し、前記転写膜は、
（i）担持基板と、
（ii）前記担持基板に接着された受容層とを具備し、
前記受容層は、転写可能な表層及び吸収層の少なくとも２枚の層を備えており、
（ａ）前記転写可能な表層は、５重量％〜１００重量％の親水性重合体、０重量％〜２０重量％の疎水性重合体、及び、０重量％〜８０重量％の粒状充填材を含有し、その転写可能な表層は、溶剤を吸収層まで通過可能に構成し、
（ｂ）前記吸収層は、５重量％〜１００重量％の親水性重合体、０重量％〜３０重量％の疎水性重合体、及び、０重量％〜６０重量％の粒状充填材を含有し、その吸収層は、前記転写可能な表層上の画像の印刷中に溶剤を吸収するように構成すると共に、該吸収層は、前記転写可能な表層と前記担持基板との間に配置し、前記画像を、前記転写可能な表層上に形成し、
（Ｂ）最終基板を設け、
（Ｃ）前記転写膜を前記最終基板に積層し、
（Ｄ）前記担持基板を前記最終基板から分離することにより、少なくとも前記画像が、前記最終基板に転写される
ことを特徴とする方法。
【請求項１１】  前記受容層は、吸収層、中間層及び転写可能な表層の少なくとも３枚の層を備え、前記中間層は、前記吸収層と前記転写可能な表層との間に位置する
ことを特徴とする請求項１０記載の方法。
【請求項１２】  前記画像の形成は、液体インキで印刷する
ことを特徴とする請求項１０又は請求項１１記載の方法。
【請求項１３】  前記画像の形成は、インクジェットプリンタを用いて印刷する
ことを特徴とする請求項１０又は請求項１１記載の方法。
【請求項１４】  前記液体インキは、着色剤及び溶剤を含有する
ことを特徴とする請求項１２記載の方法。
【請求項１５】  前記溶剤は、有機溶剤、水、又は、それらの組み合わせを含有する
ことを特徴とする請求項１４記載の方法。
【請求項１６】  前記着色剤は顔料、染料又はそれらの組み合わせを含有する
ことを特徴とする請求項１４記載の方法。
【請求項１７】  前記積層工程では、前記担持基板及び前記最終基板に熱及び圧力を加える
ことを特徴とする請求項１０又は請求項１１記載の方法。
【請求項１８】  前記最終基板には、接着層を備える
ことを特徴とする請求項１０又は請求項１１記載の方法。
【請求項１９】  前記積層工程では、６０°Ｆ〜４００°Ｆ（１６°Ｃ〜２０４°Ｃ）の温度で３，０００ｐｓｉの圧力を加える
ことを特徴とする請求項１０又は請求項１１記載の方法。
【請求項２０】  前記転写可能な表層は、前記画像と共に前記最終基板に移される
ことを特徴とする請求項１０又は請求項１１記載の方法。
【請求項２１】  前記担持基板から前記最終基板を分離する前記工程中には、前記転写可能な表層の少なくとも一部と、前記中間層の少なくとも一部とが、前記画像と共に前記最終基板に移される
ことを特徴とする請求項１１記載の方法。
【請求項２２】  前記吸収層の少なくとも一部が、前記担持基板に付着して残留する
ことを特徴とする請求項１０又は請求項１１記載の方法。
【手続補正書】
【提出日】平成19年11月26日(2007.11.26)
【手続補正１】
【補正対象書類名】明細書
【補正対象項目名】特許請求の範囲
【補正方法】変更
【補正の内容】
【特許請求の範囲】
【請求項１】  軟骨欠損を修復するための装置であって、
第１部分と、
第２部分と、
第２部分に隣接する軟骨層とを含み、第１部分は第２部分よりも小さな断面を有し、軟骨層の表面は、前記装置の移植の後で宿主軟骨関節表面と同一高さであるように構成される、装置。
【請求項２】  第１部分は骨部分を含み、第２部分は軟骨下骨板を含み、軟骨層は第２部分上に成長する、請求項１に記載の装置。
【請求項３】  軟骨層と第２部分とは前記装置の上部分を形成し、第１部分は前記装置の下部分を形成する、請求項１または請求項２に記載の装置。
【請求項４】  上部分は、骨部分を越えてすべての側方に突出す、請求項３に記載の装置。
【請求項５】  下部分と上部分とのうちの少なくとも１つは円筒形である、請求項３または請求項４に記載の装置。
【請求項６】  上部分は、正方形、矩形、三角形または菱形の断面を有する、請求項３、請求項４または請求項５に記載の装置。
【請求項７】  第１部分の吸収性は第２部分の吸収性とは異なる、前記請求項のいずれかに記載の装置。
【請求項８】  第１の部分の密度は第２の部分の密度よりも低い、前記請求項のいずれかに記載の装置。
【請求項９】  別々の吸収速度を有する材料が、第１部分の上もしくは内部または第１部分に隣接して存在する、前記請求項のいずれかに記載の装置。
【請求項１０】  第１部分は、別々の吸収速度を有する別々の材料を含む、請求項９に記載の装置。
【請求項１１】  第１部分は少なくとも１つの柱を含み、柱は第１部分の残りの部分の吸収性とは異なった吸収性を有する、請求項１０に記載の装置。
【請求項１２】  第１部分を取り囲み、第１部分の吸収速度とは異なった吸収速度を有する材料をさらに含む、請求項９に記載の装置。
【請求項１３】  光酸化により非活性化された組織を含む、前記請求項のいずれかに
記載の装置。
【請求項１４】  少なくとも１の動物から除去された組織を含む、前記請求項のいずれかに記載の装置。
【請求項１５】  ヒトまたは動物の関節の軟骨欠損または軟骨／骨欠損を修復するための方法であって、
ヒトまたは動物の関節の欠損領域にボアを形成するステップを含み、ボアは内側領域と外側領域とを含み、方法はさらに、
第１部分と、第２部分と、第２部分に隣接する軟骨層とを含む装置をボアの中に移植するステップを含み、第１部分は第２部分よりも小さな断面を有する、方法。
【請求項１６】  内側領域は、外側領域の断面よりも小さい断面を有する、請求項１５に記載の方法。
【請求項１７】  ボアは、圧力嵌めで前記装置を受けるよう適合される、請求項１５または請求項１６のいずれかに記載の方法。
【請求項１８】  移植された前記装置の軟骨表面は、宿主軟骨表面と同一高さである、請求項１５から請求項１７のいずれかに記載の方法。
【請求項１９】  外側領域と内側領域との間の遷移は、ボアの軟骨下骨板の下方にある、請求項１５から請求項１８のいずれかに記載の方法。
【請求項２０】  第１部分は骨部分を含み、第２部分は軟骨下骨板またはそのような骨板の模造物を含み、軟骨層は第２部分上に成長する、請求項１５から請求項１９のいずれかに記載の方法。
【請求項２１】  前記装置の骨部分は、ボアの内側領域に嵌まるよう適合された断面を有し、軟骨下骨板またはそのような骨板の模造物は、ボアの外側領域に嵌まるよう適合された断面を有する、請求項２０に記載の方法。
【請求項２２】  前記装置は、ボア内に圧力嵌めされる、請求項２１に記載の方法。
【請求項２３】  前記装置の軟骨下骨板は前記装置の骨部分上と、ボアに隣接する関節内に位置する骨組織上とに支持される、請求項２０に記載の方法。
【請求項２４】  ボアの周囲の欠損領域は宿主軟骨表面と宿主軟骨下骨板とを含み、前記装置が移植された後で、前記装置の軟骨層の表面は宿主軟骨表面と同一高さであり、前記装置の軟骨下骨板は宿主軟骨下骨板とほぼ同一高さである、請求項２３に記載の方法。
【請求項２５】  ヒトまたは動物の関節の軟骨欠損または軟骨／骨欠損を修復するための方法であって、
ヒトまたは動物の関節の欠損領域に複数のボアを形成するステップを含み、各ボアはより小さい断面を有する内側領域とより大きい断面を有する外側領域とを含み、方法はさらに、
第１部分と、第２部分と、第２部分に隣接する軟骨層とを含む装置を各ボアの中に移植するステップを含み、第１部分は第２部分よりも断面が小さい、方法。
【請求項２６】  前記装置は、骨部分と、骨部分上に成長して軟骨表面を形成する軟骨層と、骨部分と軟骨層との間の遷移領域における軟骨下骨板またはそのような骨板の模造物と、を含み、前記装置の軟骨層および軟骨下骨板またはその模造物は、骨部分よりも大きな断面を有する、請求項２５に記載の方法。
【請求項２７】  ボアの中への装置の移植がモザイク態様で欠損領域を修復するように、複数のボアは互いに隣接して欠損領域内に配置される、請求項２６に記載の方法。
【請求項２８】  前記装置の軟骨層および軟骨下骨板またはその模造物は、正方形、矩形、三角形または菱形の断面を有する、請求項２７に記載の方法。
【請求項２９】  欠損領域における、欠けたまたは損傷を受けた骨材料は除去されて、前記装置の骨部分とは異なる速度で吸収される材料に置換される、請求項２５に記載の方法。
【請求項３０】  ボアの位置は、本質的に中断のない軟骨表面を生成するように、前記装置の形状および／またはサイズと調和される、請求項２５に記載の方法。
【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  ポリウレアポリマー成形体のふくれ耐性を改善する方法であって、ポリウレアポリマー成形体の製造において添加物としてホホバ油を使用することを特徴とする方法。
【請求項２】  前記方法が、
（Ａ）ポリイソシアネートおよびイソシアネート反応性材料を含むポリウレアポリマー配合物にホホバ油を加えて、１．０５から１．４０までの間のイソシアネート指数を有する混合物を調製し、
（Ｂ）該混合物を成形して、ポリウレアポリマー成形体を調製する、
各工程を含むことを特徴とする請求項１記載の方法。
【請求項３】  前記混合物がさらにポリエポキシドを含むことを特徴とする請求項２記載の方法。
【請求項４】  前記イソシアネート反応性材料が、ポリアミンおよびポリオールの内の少なくとも１つであることを特徴とする請求項２または３記載の方法。
【請求項５】  ホホバ油が、前記ポリイソシアネートの重量を除いた前記混合物の重量に基づいて少なくとも０．５重量パーセントの量で用いられることを特徴とする請求項２〜４のいずれか１項記載の方法。
【請求項６】  ホホバ油が、前記ポリイソシアネートの重量を除いた前記混合物の重量に基づいて５．０重量パーセント以下の量で用いられることを特徴とする請求項２〜５のいずれか１項記載の方法。
【請求項７】  前記混合物が反応射出成形により成形されることを特徴とする請求項２〜６のいずれか１項記載の方法。
【請求項８】  前記ポリウレアポリマー成形体が水分に露出されたときに、該ポリウレアポリマー成形体が、該ポリウレアポリマー成形体の重量に基づいて２重量パーセント以下の水しか吸収しないことを特徴とする請求項１〜７のいずれか１項記載の方法。
【請求項９】  前記ポリウレアポリマー成形体が自動車のボディーパーツであることを特徴とする請求項１〜８のいずれか１項記載の方法。
【請求項１０】  前記自動車のボディーパーツが自動車の計器盤または自動車のボディーパネルであることを特徴とする請求項９記載の方法。
【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】  ８００μｍ以下の粒子サイズを備えた自由流動粉末組成物であって、
（ａ）１００重量部の１個又はそれ以上のスチレン系ブロックコポリマーであり、そのうちの少なくとも１個が、２５℃を超える、好ましくは５０℃を超えるガラス転移温度Ｔｇを備えた少なくとも１個のブロックＳ、及び２５℃未満、好ましくは５℃未満のＴｇを備えた少なくとも１個のエラストマーブロックＢ／Ｓを含むブロックコポリマー（ａ１）であって、かかる少なくとも１個のブロックＳが、ビニル芳香族モノマーの重合単位を含み、かつ硬質相を形成し、そして、かかる少なくとも１個のエラストマーブロックＢ／Ｓがランダムな順序でビニル芳香族モノマーと共役ジエンの両方の重合単位を含み、かつ軟質相を形成しており、ブロックＳ対ブロックＢ／Ｓの比率が１から４０容積％であって、共役ジエンの量がコポリマー全体の５０重量％未満である、スチレン系ブロックコポリマー、場合によっては
（ｂ）０から５０重量部未満の可塑化オイル、場合によっては
（ｃ）硬質相（ｃ１）又は軟質相（ｃ２）のいずれかと相溶性である、０から２００、好ましくは０から７０重量部の樹脂、そして場合によっては
（ｄ）組成物の総重量に基づき、０から１０重量％、好ましくは１から５重量％の量のダスト化剤
を含む、自由流動粉末組成物。
【請求項２】  請求項１に記載の自由流動粉末組成物の調製のための方法であって、
（ａ）ダスト化剤及びブロー剤が存在する場合にはそれらを除いて、自由流動粉末組成物中に存在するすべての成分をメルトブレンドしたあと、冷却し、
（ｂ）段階（ａ）から生じた組成物を粒状化又はペレット化し、
（ｃ）段階（ｂ）から生じた顆粒又はペレットを低温磨砕し、そして場合によっては
（ｄ）ダスト化剤及び／又はブロー剤を段階（ｃ）から生じた粉末とドライブレンドするか、若しくは
（ａ）ダスト化剤及びブロー剤が存在する場合にはそれらを除いて、自由流動粉末組成物中に存在するすべての成分をメルトブレンドし、
（ｅ）直径≦０．５ｍｍのダイプレートを使用して段階（ａ）から生じた組成物をミクロペレット化したあと、冷却し、そして場合によっては
（ｄ）ダスト化剤及び／又はブロー剤を段階（ｅ）から生じた粉末とドライブレンドする
段階を含む方法。
【請求項３】  請求項１に記載の自由流動粉末組成物を溶融することによって得られる均一層。
【手続補正書】
【提出日】平成19年11月22日(2007.11.22)
【手続補正１】
【補正対象書類名】明細書
【補正対象項目名】特許請求の範囲
【補正方法】変更
【補正の内容】
【特許請求の範囲】
【請求項１】  オリゴ糖混合物が遊離ラクトースがこれに属しない少なくとも２種の異なるオリゴ糖によって構成される少なくとも２種のオリゴ糖画分を含み、
オリゴ糖混合物中に存在するオリゴ糖の全スペクトルがこれからオリゴ糖画分が得られる一動物ミルクまたは複数の動物ミルクのものとは異なり、さらに
ａ）酸性オリゴ糖に対する中性オリゴ糖の割合が９０〜６０：１０〜４０重量％である、または
ｂ）オリゴ糖が少なくとも２種の動物ミルクから得られる際には、２種の異なる動物ミルクから得られるオリゴ糖がそれぞれオリゴ糖混合物中に存在するオリゴ糖の全量の少なくとも１０重量％に達することを特徴とする、
一または幾つかの動物ミルクから得られ、２またはそれ以上の単糖ユニットから構成されるオリゴ糖を基礎とするオリゴ糖混合物。
【請求項２】  オリゴ糖は、下記単糖ユニット：Ｄ−グルコース、Ｄ−ガラクトース、Ｄ−Ｎ−アセチル−グルコサミン、Ｄ−Ｎ−アセチル−ガラクトサミン、Ｌ−フコース、Ｄ−マンノース、Ｄ−体のシアル酸（Ｄ−Ｎ−アセチルノイラミン酸及びＤ−Ｎ−グリコリルノイラミン酸）ならびにこれらのＯ−アセチル化、硫酸化及びリン酸化誘導体の一または幾つかによって構成されることを特徴とする、請求項１に記載のオリゴ糖混合物。
【請求項３】  オリゴ糖は、下記動物ミルク：ウシ、ヤギ、ヒツジ、雌ウマ、ラクダ及びバッファローミルクの一または幾つかから得られることを特徴とする、請求項１または２に記載のオリゴ糖混合物。
【請求項４】  オリゴ糖は、貯留されない若しくは貯留されたミルク若しくはラクトシーラムからまたは一若しくは幾つかの動物種の貯留されない若しくは貯留されたミルク製品から得られることを特徴とする、請求項１〜３のいずれか１項に記載のオリゴ糖混合物。
【請求項５】  オリゴ糖またはオリゴ糖画分とは別に、これからオリゴ糖が得られる一動物ミルクまたは複数の動物ミルク由来でありえる、ラクトースがまた存在し、一動物ミルク由来でない一のまたは幾つかのオリゴ糖が存在するおよび／または糖タンパク質および／または糖脂質から放出されるオリゴ糖の化学的、酵素的および／または技術的反応によってオリゴ糖を得る際に存在することを特徴とする、請求項１〜４のいずれか１項に記載のオリゴ糖混合物。
【請求項６】  オリゴ糖混合物は乳児用調製粉乳、食事療法食若しくは薬剤中に含まれるまたは栄養完全物自体への添加物を構成することを特徴とする、請求項１〜５のいずれか１項に記載のオリゴ糖混合物。
【請求項７】  胃腸管の細菌若しくはウィルス集落化によって引き起こされる胃腸管機能の疾患を解消することを目的として、または正常な胃腸機能を維持することを目的として使用される、請求項１〜６のいずれか１項に記載のオリゴ糖混合物。
【請求項８】  オリゴ糖混合物が１日当たり１０ｍｇ／ｋｇ〜４ｇ／ｋｇ体重の量で適用される、請求項７に記載のオリゴ糖混合物。
【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  以下の式で表されるペプチド：
Y1-R1-R2-R3-R4-R5-R6-R7-R8-Z1
上式において、
Y1は、ペプチドのN末端に結合し、プロトン、1〜3残基のアミノ酸配列、またはカルバメート基、あるいはシクロヘキシル基、フェニル基、ベンジル基、1〜8個の炭素を含む短い直鎖状および分枝状のアルキル基のような疎水性部分から構成されるアシル基等の保護基からなる群より選択され；
R1は、Val、Ala、Ile、Gln、Leu、またはArgからなる群より選択され；
R2は、Ala、Ile、Phe、Arg、またはLeuからなる群より選択され；
R3は、Pro、Thr、Ser、Tyr、Leu、またはValからなる群より選択され；
R4は、Met、Ala、Gly、Ser、Val、またはIleからなる群より選択され；
R5は、Thr、Pro、Tyr、Leu、Gly、またはGlnからなる群より選択され；
R6は、Val、Cys、Ile、Gly、Glu、またはSerからなる群より選択され；
R7は、Pro、Val、Cys、Leu、Glu、またはAsnからなる群より選択され；
R8は、Ser、Leu、Thr、またはAlaからなる群より選択され；
R1〜R8はヒトプロスタグランジンE2受容体サブタイプEP4の一次構造から選択される直鎖状オクタペプチド配列であり；
Z1は、ペプチドのカルボキシ末端に結合し、プロトン、NH2、1〜3残基のアミノ酸、同様にアリールアルキルアミン、ならびに1〜8個の炭素を含む短い直鎖状および分枝状のアルキル基を有する脂肪族アミンからなる群より選択される。
【請求項２】  プロスタグランジンE2受容体サブタイプEP4の情報伝達の少なくとも一つの生化学的および生理学的結果を抑制する能力をもつ、請求項1記載のペプチド。
【請求項３】  以下の構造で表される化合物であって、
Y2-AA1-AA2-AA3-AA4-AA5-AA6-AA7-AA8-Z2
上式において：
Y2は、ペプチドのN末端に結合し、プロトン、1〜3残基のアミノ酸配列、またはカルバメート基、あるいはシクロヘキシル基、フェニル基、ベンジル基、1〜8個の炭素を含む短い直鎖状および分枝状のアルキル基のような疎水性部分から構成されるアシル基等の保護基からなる群より選択され；
AA1は、残基なし、Ile、Leu、Phe、および疎水性側鎖を有するα-アミノ酸からなる群より選択され；
AA2は、残基なし、Leu、Ile、Phe、および疎水性側鎖を有するα-アミノ酸からなる群より選択され；
AA3は、残基なし、Ala、Ser、Thr、およびヒドロキシル基または水素結合形成基を含む側鎖を有するα-アミノ酸からなる群より選択され；
AA4は、Ser、Thr、およびヒドロキシル基または水素結合形成基を含む側鎖を有するα-アミノ酸からなる群より選択され；
AA5は、Ala、Tyr、Phe、ならびにベンゾイル基、フェノール基を含む側鎖を有するα-アミノ酸からなる群より選択され；
AA6は、Glu、Gln、Asp、Asn、および、荷電性基または水素結合受容基を含む側鎖を有するα-アミノ酸からなる群より選択され；
AA7は、残基なし、Ala、Cys、Ser、Thr、およびスルフヒドリル基、ヒドロキシル基を含む側鎖を有するα-アミノ酸からなる群より選択され；
AA8は、残基なし、Ile、Ala、Leu、Phe、ならびに疎水性側鎖を有するα-アミノ酸からなる群より選択され；
AA1〜AA8はヒトプロスタグランジンE2受容体サブタイプEP4の一次配列から選択される直鎖状オクタペプチドであり；
Z2は、ペプチドのカルボキシ末端に結合し、プロトン、NH2、1〜3残基のアミノ酸、アリールアルキルアミン、ならびに1〜8個の炭素を含む短い直鎖状および分枝状のアルキル基を有する脂肪族アミンからなる群より選択される。
【請求項４】  プロスタグランジンE2受容体サブタイプEP4の情報伝達の少なくとも一つの生化学的および生理学的結果を抑制する能力をもつ、請求項3記載の化合物。
【請求項５】  化合物が、
2003516417.tif 000001
からなる群より選択される、請求項4の化合物。
【請求項６】  適切な薬学的担体と結合する、請求項3〜5のいずれか一項記載の化合物を含む組成物。
【請求項７】  治療を必要とする患者の糸球体濾過および/または尿量を改善する、請求項3〜5のいずれか一項記載の化合物の使用。
【請求項８】  治療を必要とする患者に、請求項3〜5のいずれか一項記載の治療的有効量の化合物を投与する段階を含む、患者の糸球体濾過および/または尿量を改善する方法。
【請求項９】  末期腎疾患または急性腎不全と診断された患者に、約1 μg〜約1000 mgの用量範囲で末梢経路で投与される、請求項3〜5のいずれか一項記載の化合物を含む薬学的組成物。
【請求項１０】  末期腎疾患または急性腎不全の患者の治療に用いる方法であって、請求項3〜5のいずれか一項記載の治療的有効量の化合物を該患者に投与する段階を含む方法。
【請求項１１】  未熟児患者の動脈管（DA）を閉鎖するための、請求項3〜5のいずれか一項記載の化合物の使用。
【請求項１２】  動脈管開存と診断された患者に、1 μg〜1000 mgの用量範囲で末梢経路で投与される、請求項3〜5のいずれか一項記載の化合物を含む薬学的組成物。
【請求項１３】  治療を必要とする未熟児患者に、請求項3〜5のいずれか一項記載の治療有効量のアンタゴニストを投与する段階を含む、動脈管（DA）を閉鎖する方法。
【請求項１４】  以下の段階を含むアッセイ法における、請求項3〜5のいずれか一項記載の化合物の使用：
a）天然の受容体または組換え型の受容体を発現する細胞または組織を培養する段階；
b）培養細胞または組織を、該受容体の既知濃度のアゴニストの存在下または非存在下、請求項3〜5のいずれか一項記載の任意の化合物量で処理する段階；
c）該受容体からの情報伝達の一つまたは複数の生化学的および生理学的な結果を測定する段階であって、該結果が、Gαタンパク質によるGTP結合および加水分解、環状アデノシン一リン酸の合成、細胞内カルシウムの変化、平滑筋の伸縮、細胞の増殖および/または分化、遺伝子発現の変化、または平滑筋の伸縮からなる群より選択される段階。
【請求項１５】  請求項3〜5のいずれか一項記載の化合物を含むアッセイキット。
【請求項１６】  患者の骨塩減少を予防するための治療を必要とする患者に治療有効量の化合物を投与する段階を含む、請求項3〜5のいずれか一項記載の化合物の使用。
【請求項１７】  骨粗鬆症または歯科疾患の症状があると診断された患者に約1 μg〜約1000 mgの用量範囲で末梢経路で投与される、請求項3〜5のいずれか一項記載の化合物を含む薬学的組成物。
【請求項１８】  請求項3〜5のいずれか一項記載の治療的有効量の化合物を、治療を必要とする患者に投与する段階を含む、患者の骨塩減少を治療する方法。
【請求項１９】  請求項3〜5のいずれか一項記載の治療的有効量の化合物を患者に投与する段階を含む、患者の末期腎疾患または急性腎不全を治療する方法。
【手続補正書】
【提出日】平成19年10月1日(2007.10.1)
【手続補正１】
【補正対象書類名】明細書
【補正対象項目名】請求項８
【補正方法】変更
【補正の内容】
【請求項８】  ゼオライト触媒がＰｄ、Ｒｈ、Ｒｕ、Ｉｒ、Ｏｓ、Ｃｕ、Ｃｏ、Ｎｉ、Ｐｔ、Ｆｅ、Ｚｎ、Ｇａ、Ｉｎ、Ｍｏ、Ｗ、Ｖまたはそれらの混合物より成る群から選択される水素化活性金属を０．０００１〜５重量％含有する請求項１〜７のいずれか一つに記載の方法。
【手続補正２】
【補正対象書類名】明細書
【補正対象項目名】請求項１９
【補正方法】変更
【補正の内容】
【請求項１９】  触媒がそれのＨ−型で存在する請求項１７または１８に記載の方法。
【手続補正３】
【補正対象書類名】明細書
【補正対象項目名】請求項２０
【補正方法】変更
【補正の内容】
【請求項２０】  ｎ−アルカンの収率を増加させるために意図的にコークス化する請求項１７〜１９の何れか一つに記載の方法。
【手続補正４】
【補正対象書類名】明細書
【補正対象項目名】０００４
【補正方法】変更
【補正の内容】
【０００４】
かゝる仕様は、多量の芳香族化合物が等価の脂肪族化合物またはブースター(booster) 、例えばメチル−第三ブチルエーテル（ＭＴＢＥ）に交換された時にのみ達成することができる。従来技術によれば、脂肪族化合物の豊富な燃料を製造するためには多大な費用が掛かりかつコスト高になる。燃料中の芳香族化合物の含有量は従来には、鉛を添加せずに必要なオクタン価を達成できるためには選択の手段があった。それ故にこれからは燃料の製造のために多量のブースターの需要があるであろう。しかしながらブースターを恒久的に購入することは燃料メーカーにとって無視できない経済的不利益も意味する。
【手続補正５】
【補正対象書類名】明細書
【補正対象項目名】０００５
【補正方法】変更
【補正の内容】
【０００５】
燃料中の芳香族化合物含有量を減少させるため、芳香族化合物の豊富な留分を新たな用途に提供しなければならない。エチレンおよびプロピレンを製造するためのヨーロッパにおける主な方法はオレフィン用装置におけるナフサの熱分解である。この方法の場合には中でもオレフィンの豊富なおよび芳香族化合物の豊富な熱分解（重質）ベンジンが生じる。このものは過去においては高オクタン価成分として自動車燃料に混入されてきた。新しい仕様の導入と共に自動車燃料中の芳香族化合物の含有量を制限しなければならず、その結果熱分解（重質）ベンジンを高価値を発生させる他の用途に供給するルートが探究された。
【手続補正書】
【提出日】平成19年11月30日(2007.11.30)
【手続補正１】
【補正対象書類名】明細書
【補正対象項目名】特許請求の範囲
【補正方法】変更
【補正の内容】
【特許請求の範囲】
【請求項１】  スパッタリングターゲットであって、これは、
ａ）スパッタリング電源と機能可能に接続するように構成された裏地と、
ｂ）この裏地に支持されたスパッタされる物質からなる外層と
を備えており、前記スパッタされる物質は、亜鉛と、亜鉛の融点より低い融点を有する第２金属との混合物を含むとともに、この亜鉛と第２金属は、前記スパッタされる物質中に金属の形で存在し、亜鉛のマトリックス中に第２金属が分散して存在するように位置しているスパッタリングターゲット。
【請求項２】  前記裏地が、略円筒状の形状であり、外面を有するものであり、前記スパッタされる物質が、前記裏地の外面の半径方向外側に延びるものである請求項１記載のターゲット。
【請求項３】  前記第２金属が、スズ、ビスマス及びインジウム又はこれらの合金若しくは混合物からなる群から選択されるものである請求項１記載のターゲット。
【請求項４】  前記第２金属が、ビスマス又はこれの合金若しくは混合物を含むものである請求項１記載のターゲット。
【請求項５】  第２金属が、実質的にビスマスからなる請求項１記載のターゲット。
【請求項６】  前記スパッタされる物質が、少なくとも８０重量％以上の亜鉛を含んでいる請求項１記載のターゲット。
【請求項７】  前記スパッタされる物質が、少なくとも９１重量％以上の亜鉛を含んでいる請求項１記載のターゲット。
【請求項８】  本ターゲットは、前記裏地と前記スパッタされる物質との間に配置された結合層を更に備えており、この結合層は伝導体を含むものである請求項１記載のターゲット。
【請求項９】  スパッタリングターゲットを製造する方法であって、この方法は、
ａ）外面を有する裏地を用意する工程と、
ｂ）亜鉛金属と、亜鉛の融点より低い融点を有する第２金属とを、同時にプラズマ溶射して、前記裏地に支持されたスパッタされる物質からなる外層を形成する工程と
を含む方法。
【請求項１０】  前記第２金属が、スズ、ビスマス及びインジウム又はこれらの合金若しくは混合物からなる群から選択されるものである請求項９記載の方法。
【請求項１１】  前記第２金属が、ビスマス又はこれの合金若しくは混合物を含むものである請求項９記載の方法。
【請求項１２】  前記第２金属が、実質的にビスマスからなる請求項９記載の方法。
【請求項１３】  亜鉛と第２金属が、別々の供給源から供給され、それにより、前記スパッタされる物質からなる外層が、亜鉛のマトリックス中に第２金属が分散して存在するものとなる請求項９記載の方法。
【請求項１４】  亜鉛が、粉末又はワイヤのうちの１つとして供給される請求項１３記載の方法。
【請求項１５】  亜鉛と第２金属が、異なる割合で供給され、前記スパッタされる物質の組成が、亜鉛を少なくとも８０重量％以上とする組成となるようにする請求項９記載の方法。
【請求項１６】  前記スパッタされる物質が、少なくとも９１重量％以上の亜鉛を有するように、亜鉛と第２金属が供給される請求項１５記載の方法。
【請求項１７】  基材上にフィルムを形成する方法であって、この方法は、
ａ）裏地とこの裏地に支持されたスパッタされる物質からなる外層とを備えたターゲットを用意する工程であって、前記スパッタされる物質は、亜鉛と、亜鉛の融点より低い融点を有する第２金属との混合物を含むとともに、この亜鉛と第２金属は、前記スパッタされる物質中に金属の形で存在し、亜鉛のマトリックス中に第２金属の領域が分散して位置している工程と、
ｂ）前記ターゲットと基材をスパッタリング室に置き、前記ターゲットに電源を接続する工程と、
ｃ）前記スパッタリング室を、酸素を含む反応性雰囲気に保持しながら、前記ターゲットに電力を印加し、これにより前記基材の表面上に、亜鉛と第２金属の酸化物を含むフィルムを形成する工程と
を含む方法。
【請求項１８】  前記ターゲットをスパッタリングすることで、前記亜鉛と第２金属の分散領域が消費され、これにより、亜鉛に被覆されていた第２金属の領域が露出するとともに、第２金属に被覆されていた亜鉛の領域が露出する請求項１７記載の方法。
【請求項１９】  前記ターゲットを用意する工程が、別々の供給源からの亜鉛金属と第２金属とを同時にプラズマ溶射して、前記スパッタされる物質の外層を形成することにより、前記ターゲットを製造することを含む請求項１７記載の方法。
【手続補正書】
【提出日】平成19年11月27日(2007.11.27)
【手続補正１】
【補正対象書類名】明細書
【補正対象項目名】０００６
【補正方法】変更
【補正の内容】
【０００６】
粒状洗剤に関し、使用者が、常に、各用量単位において、同じ成分を対応する比率で取扱えるようにするには、粒状洗濯洗剤／洗浄剤は、同様な形態および密度を有する各粒子を含むことが必要である。さもなくば、輸送の間の振とうなどにより経時的に分離現象が起こり、取り出した量が、所望の組成を有しないようになる。
【手続補正２】
【補正対象書類名】明細書
【補正対象項目名】００１５
【補正方法】変更
【補正の内容】
【００１５】
本発明の好適な一具体例によれば、ペレタイザーの内部に回転自在に配置したローターであって圧縮面と共にダイ内面に沿って走行するローターは、フライホイールである。特に好適には、このフライホイールは、それ自体で駆動することができ、したがって、ペレタイザーまたは上流装置および／または下流装置における、他の駆動構成要素によって、間接的に駆動されない。
【手続補正書】
【提出日】平成19年12月7日(2007.12.7)
【手続補正１】
【補正対象書類名】明細書
【補正対象項目名】００２０
【補正方法】変更
【補正の内容】
【００２０】
（図面の簡単な説明）
図１は、ＨＤＡＣ８と呼ばれるｃＤＮＡクローンの完全なヌクレオチド配列を示す。その配列(配列番号：１)により、ＨＤＡＣのＲＰＤ３クラス（Ｉ）との相同性を有するタンパク質（配列番号２）産物を推定する。翻訳開始因子および終結因子のコドンは、下線した。
図２は、ＨＤＡＣ１(配列番号：４)、ＨＤＡＣ２(配列番号：５)、ＨＤＡＣ３ (配列番号：６)およびＨＤＡＣ８(配列番号：７)との間のアミノ酸の類似性を示す。同一残基は暗灰色のボックスとし、保存性のある置換基は明るい灰色で示す。推定３７７アミノ酸ＨＤＡＣ８(約４２ｋＤa)産物は、ＨＤＡＣ１、２および３のＣ末端の〜１００アミノ酸に相同性のある領域を失っていることがわかる。
【手続補正２】
【補正対象書類名】明細書
【補正対象項目名】００２３
【補正方法】変更
【補正の内容】
【００２３】
本発明で提供されるある実施態様では、ＨＤＡＣ８タンパク質は、本明細書で定義するように、１つまたはそれ以上の下記特性を有する：ヒストンのアセチル化；ＨＤＡＣ１（配列番号：４）、ＨＤＡＣ２（配列番号：５）、ＨＤＡＣ３（配列番号：６）およびＨＤＡＣ８（配列番号：７）との相同性。該相同性は、下記データベース、アルゴリズムおよびパラメーターを用いて見出される。本明細書中の「相同性」とは、配列の類似性および好ましくは同一性を意味する。
【手続補正３】
【補正対象書類名】明細書
【補正対象項目名】０１６１
【補正方法】変更
【補正の内容】
【０１６１】
多くのサイクリン破壊ボックスが当分野において既知であり、例えば、サイクリンＡは配列ＲＴＶＬＧＶＩＧＤ（配列番号：８）を含む破壊ボックスを有する；サイクリンＢ１の破壊ボックスは配列ＲＴＡＬＧＤＩＧＮ（配列番号：９）を含む。Glotzer et al., Nature 349:132-138 (1991)参照。さらに他の破壊ボックスとして：
ＹＭＴＶＳＩＩＤＲＦＭＱＤＳＣＶＰＫＫＭＬＱＬＶＧＶＴ（配列番号：１０：ラットサイクリンＢ）；
ＫＦＲＬＬＱＥＴＭＹＭＴＶＳＩＩＤＲＦＭＱＮＳＣＶＰＫＫ（配列番号：１１：マウスサイクリンＢ）；
ＲＡＩＬＩＤＷＬＩＱＶＱＭＫＦＲＬＬＱＥＴＭＹＭＴＶＳ（配列番号：１２：マウスサイクリンＢ１）；
ＤＲＦＬＱＡＱＬＶＣＲＫＫＬＱＶＶＧＩＴＡＬＬＬＡＳＫ（配列番号：１３：マウスサイクリンＢ２）；および
ＭＳＶＬＲＧＫＬＱＬＶＧＴＡＡＭＬＬ（配列番号：１４：マウスサイクリンＡ２）
が知られている。
【手続補正４】
【補正対象書類名】明細書
【補正対象項目名】０２２１
【補正方法】変更
【補正の内容】
【０２２１】
実施例
実施例１
Ｂasic ＢＬＡＳＴを用いて発現配列タグ(ＥＳＴ)に関するＧenＢankデータベースの探索は、デフォルトパラメーターを用いるＮＣＢＩウェブサイト(http://www.ncbi.nlm.nih.gov/blast/cgi)から利用できるが、ウテリンライブラリーからのＥＳＴ(４０９３６;受託番号ＡＡ３３３０８)がＨＤＡＣ３のアミノ末端部分に対して相同性を持つことを明らかにした。完全長のクローンを得るために、Ｍarathon- Ｒeady human Uterus cＤＮＡライブラリー(Clontech, Palo Alto, CA)を３'ＲＡＣＥの技術を用いてスクリーンし、そこでcＤＮＡの３'末端をＰＣＲで増幅した。Ｍarathon-Ｒeady cＤＮＡライブラリーを、アダプタープライマーによってフランキングした完全長ｃＤＮＡのライブラリーとして産生した。３’ＲＡＣＥを行うために、ＰＣＲ反応をアダプター領域および遺伝子特異的プライマーと相同性のあるプライマーを用いて行った。ＨＤＡＣ８特異的プライマーは：ＴＧＣＧＧＡＡＣＧＧＴＴＴＴＡＡＧＣＧＧＡＧ（配列番号：１５）であった。
【手続補正書】
【提出日】平成19年11月14日(2007.11.14)
【手続補正１】
【補正対象書類名】明細書
【補正対象項目名】特許請求の範囲
【補正方法】変更
【補正の内容】
【特許請求の範囲】
【請求項１】送出端部(212,232)を具えるシリンジ本体(210,230)と、シリンジ本体の中に移動可能に配備されるプランジャーと、シリンジ本体の送出端部へ連結される先端部及び第１端部を有するコネクタチューブ(214)とを具えているシリンジアッセンブリに於いて、
コネクタチューブ(214)の先端部へ接続されるように構成され、パージ動作中は、シリンジ本体及びコネクタチューブから放出される流体を集めるチューブ(218)を具え、
チューブ(218)は、
該チューブの先端部と基端部の間に配備された通気キャップ(220)と、通気キャップ(220)と作動可能に繋がった流出防止材(222)とを具え、
流出防止材(222)は、空気が通ることを許し、チューブから流体が流出するのを十分に防止するように作動可能であり、
通気キャップ(220)は、流出防止材(222)から空気が大気中に流れることができるように構成されたことを特徴とするシリンジアッセンブリ。
【請求項２】 通気キャップ(220)は、チューブの先端部に配備され、流出防止材(222)は通気キャップ(220)とチューブの間に配備されている、請求項１のシリンジアッセンブリ。
【請求項３】 コネクタチューブ(214)の先端部は、ルアーコネクタを具えている請求項１のシリンジアッセンブリ。
【請求項４】 コネクタチューブ(214)の先端部は、患者のカテーテルへ連結可能である請求項１のシリンジアッセンブリ。
【請求項５】 チューブ(218)は、コネクタチューブへ予め連結されている請求項１のシリンジアッセンブリ。
【請求項６】 シリンジからパージされる流体は、チューブの中に保持される請求項１のシリンジアッセンブリ。
【請求項７】 チューブ(218)は、約３ｍｌの流体が入るように構成されている請求項６のシリンジアッセンブリ。
【請求項８】 チューブ(218)から流体が流出するのを防止するために、チューブの先端部と流出防止材(222)との間に配備されるシール(224)を、さらに具えている請求項２のシリンジアッセンブリ。
【請求項９】 チューブは更に逆止弁を具えている請求項１のシリンジアッセンブリ。
【請求項１０】 請求項１乃至９の何れかに記載されたシリンジアッセンブリからの空気をパージする方法であって、
チューブ(218)をコネクタチューブの先端部へ連結し、チューブはパージ動作中はシリンジ本体及びコネクタチューブから放出される流体を集めるように作動する工程と、
プランジャーを前進させて、シリンジ本体及びコネクタチューブからの空気をパージする工程と、
シリンジ本体及びコネクタチューブから放出される流体を、チューブの中に集める工程を含む方法。
【請求項１１】 チューブ(218)をコネクタチューブから取り外す工程と、該チューブ(218)を処分する工程を含んでいる請求項１０の方法。
【請求項１２】 コネクタチューブの先端部を、患者のカテーテルへ連結する工程をさらに含む請求項１０の方法。
【請求項１３】 パージチューブの先端部を上げて、そこから流体が漏れるのを防止する工程をさらに含む請求項１０の方法。
【手続補正書】
【提出日】平成19年12月4日(2007.12.4)
【手続補正１】
【補正対象書類名】明細書
【補正対象項目名】特許請求の範囲
【補正方法】変更
【補正の内容】
【特許請求の範囲】
【請求項１】 
回転子ハウジング内に収容された回転子であって、
磁極面（１４）を持つ磁極（１３）を備える回転子本体を含む回転子鍛造品（１２）と、 
前記磁極面に隣接して位置ぎめされ、複数個の界磁巻線（２５）及び各対の相次ぐ界磁巻線の間に夫々配置された巻線絶縁体（２６）を含む巻線モジュール（１６）と、 
を有し、
それぞれ前記巻線モジュールの間に前記巻線モジュールに係合するように巻線ブロック（２４）が配置されていて、該巻線ブロック（２４）がそれぞれ前記巻線モジュールに係合するテーパ面（２４ｂ）を有し、回転子集成体が大体その定格速度で回転するときに巻線モジュールに対する最終位置に移動して、こうして巻線モジュールを圧縮するように整形されることを特徴とする回転子集成体。
【請求項２】 回転子集成体（１０）が大体その定格速度で回転するときに前記巻線ブロック（２４）が巻線モジュール（１６）に対する最終位置へ移動するように前記テーパ面（２４ｂ）の摩擦係数が選ばれている請求項１記載の回転子集成体。
【請求項３】 前記巻線ブロック（２４）が可撓性絶縁材料で形成されている請求項１記載の回転子集成体。
【請求項４】 前記巻線ブロック（２４）が回転子集成体上にその位置が固定されていて、回転子集成体（１０）が大体その定格速度で回転するとき、前記巻線モジュール（１６）が前記巻線ブロックを横切って変位する請求項１記載の回転子集成体。
【請求項５】
回転子ハウジング内に収容された回転子であって、
磁極面（１４）を持つ磁極（１３）を備える回転子本体を含む回転子鍛造品（１２）と、 
前記磁極面に隣接して位置ぎめされ、複数個の界磁巻線（２５）及び各対の相次ぐ界磁巻線の間に夫々配置された巻線絶縁体（２６）を含む巻線モジュール（１６）と、 
を有し、
前記磁極（１３）は直軸に沿って向いており、前記磁極面（１４）が前記直軸に対して全体的に垂直に伸びており、
回転子鍛造品（１２）は、横軸に沿って伸びるフィン（２２）を持ち、
巻線ブロック（２４）が、前記磁極及びフィンの間の夫々の空間内にある対応する１つのフィンとの間に配置されており、
巻線ブロック（２４）の各々が、前記巻線モジュールと対応する前記フィンの一つの間に配置されており且つ対応する巻線モジュールに係合されており、
前記巻線ブロック（２４）が、対応する１つのフィン（２２）に係合する支持面（２４ａ）及び前記巻線モジュール（１６）に係合するテーパ面（２４ｂ）を有することを特徴とする多極電気機械の回転子集成体。
【請求項６】 前記巻線ブロック（２４）が前記フィン（２２）及び前記巻線モジュール（１６）から可動に分離している請求項５記載の多極電気機械の回転子集成体。
【請求項７】 回転子集成体（１０）が大体その定格速度で回転するときに、前記巻線ブロック（２４）が最終位置に移動するように、前記テーパ面（２４ｂ）の角度が選ばれている請求項６記載の多極電気機械の回転子集成体。
【請求項８】 回転子集成体（１０）が大体その定格速度で回転するときに、前記巻線ブロック（２４）が最終位置に移動するように、前記テーパ面（２４ｂ）の摩擦係数が選ばれている請求項７記載の多極電気機械の回転子集成体。
【請求項９】 回転子集成体（１０）が大体その定格速度で回転するときに、前記巻線ブロック（２４）が最終位置に移動するように、前記テーパ面（２４ｂ）の角度が選ばれている請求項８記載の多極電気機械の回転子集成体。
【請求項１０】 回転子集成体（１０）が大体その定格速度で回転するときに、前記巻線ブロック（２４）が最終位置に移動するように、前記テーパ面（２４ｂ）の摩擦係数が選ばれている請求項９記載の多極電気機械の回転子集成体。
【請求項１１】 前記巻線ブロック（２４）が可撓性絶縁材料で形成されている請求項６記載の多極電気機械の回転子集成体。